(57)【要約】【課題】      塵や小石等が入り難く、また、かごへの乗降が容易なエレベータの戸装置を提供する。【解決手段】  上端部に取り付けられた吊り具４、６に吊持されて出入口を開閉する戸板２、３の下端部に、複数の櫛歯１２が並設された櫛歯脚１１を下側へ向けて突設させ、この櫛歯脚１１が個別に遊挿される溝が列設された複列溝１６を敷居１５に凹設した。このため、複列溝１６を構成する各溝の幅は狭くなり、溝内に落下する塵は微小なものに限られ、仮に、複列溝１６内に塵が落下したとしても、櫛歯脚１１によって排除されて円滑な戸の開閉が可能となる。  また、複列溝１６は各溝の幅が狭いので、子供等が足の指先を溝に落とし入れることもなく、車椅子の車輪が溝に嵌ることもないので、乗降し易いエレベータの戸装置となる。【選択図】        図２
2006137515.tif 000002
【特許請求の範囲】
【請求項１】
戸板の上端部に取り付けられた吊り具に吊持され、上記戸板の下端部に下側へ向けて突設された戸脚を、敷居に凹設された案内溝に遊挿させて移動して出入口を開閉するエレベータの戸装置において、上記戸脚を複数の櫛歯が並設された櫛歯脚とし、上記案内溝を上記櫛歯が個別に遊挿される溝が列設された複列溝としたエレベータの戸装置。
【請求項２】
櫛歯を、下側へ向けて突出する両縁辺の少なくとも一縁辺が他の上記縁辺の反対側へ向けて下り勾配で傾斜して複列溝に遊挿され、移動によって上記複列溝内の異物を掬い上げる傾斜部が形成されたものとした請求項１に記載のエレベータの戸装置。
【請求項３】
請求項２に記載のエレベータの戸装置の櫛歯の傾斜部を、敷居の上位に一部露出させ、この露出部分で複列溝を横断して上記複列溝の上面に摺接する刷毛が戸板の下端部に取り付けられ、上記傾斜歯によって掬い上げられた複列溝内の異物を上記刷毛によって払拭するようにしたエレベータの戸装置。
【発明の詳細な説明】
【技術分野】
【０００１】
この発明は、戸板の上端部に取り付けられた吊り具に吊持され、下端が敷居に沿って移動して出入口を開閉するエレベータの戸装置に係るものである。
【背景技術】
【０００２】
図６は、例えば、特許文献１に開示されたエレベータの敷居清掃用ブラシと同様の従来のエレベータの戸装置を示す。即ち、敷居２４には案内溝２５が凹設されている。この案内溝２５には摺動部２８が遊挿されている。摺動部２８は、取付板２７に固着されており、この取付板２７及びスペーサ２９を介して戸板２２の下端部に締結されている。従って、取付板２７と摺動部２８は、戸板２２を案内する戸脚２６を構成する。
また、戸脚２７に隣接して清掃具３０が取り付けられている。この清掃具３０は、本体３１と、この本体３１に下向きに植設された刷毛３２と、溝幅方向へ向けて分散させて本体３１に植設されたピン３４と、本体３１を戸板２２の下端部に取り付ける取付板３３によって構成されている。ここで、刷毛３２は、戸脚２７に近づくにつれて濃密に植設されている。
【０００３】
戸板２２が戸脚２６に案内されて案内溝２５に沿って移動すると、刷毛３２が案内溝２５の底面及び内側面に摺接する。このため、溝底や内面に溜まった塵や小石は、刷毛３２によって掃き寄せられて溝底を穿設された排出口（図示しない。）から排出される。刷毛３２では払拭できない固形物が案内溝２５に堆積した場合は、ピン３４によって掘り起こされて掃き寄せられる。このため、案内溝２５内の塵は除去される。
【０００４】
【特許文献１】特開平８−１１３４５３号公報（段落番号１３、１４、図１）
【発明の開示】
【発明が解決しようとする課題】
【０００５】
従来のエレベータの戸装置は、上記のとおり構成されており、案内溝２５は各戸板２２に対して一線のみである。このため、案内溝２５は広幅になり、塵や小石等が入って堆積し易くなる。清掃具３０を取り付けたとしても戸脚２６と案内溝２５の間に異物が挟まってエレベータの戸の開閉動作が阻害される、という問題があった。特に、ビルの建築期間中の工事使用時は、案内溝２５に異物が落下することが多く、戸の開閉動作が阻害されて工事の進行が妨げられる、という問題があった。
また、一般家庭で使用されるホームエレベータの場合は、素足で乗降することが予想される。その際に、広幅の案内溝２５では子供等が足の指先を案内溝２５に落とし込むことも危惧される。
更に、車椅子で乗降する場合は、案内溝２５が広幅なために車輪が嵌って乗降し難い、という問題もあった。
【０００６】
この発明は、上記問題点を解決するためになされたものであり、塵や小石等が敷居の溝内に入るのを防いで円滑な戸の開閉が可能となるエレベータの戸装置を提供することを目的とする。
【課題を解決するための手段】
【０００７】
この発明に係るエレベータの戸装置は、上端部に取り付けられた吊り具に吊持されて出入口を開閉する戸板の下端部に、複数の櫛歯が並設された櫛歯脚を下側へ向けて突設し、この櫛歯脚が個別に遊挿される溝が列設された複列溝を敷居に凹設したものである。
【発明の効果】
【０００８】
この発明は上記のとおり、戸脚を櫛歯脚とし、案内溝を櫛歯脚が個別に遊挿される溝が列設された複列溝としたので、複列溝を構成する各溝は狭い幅となる。
このため、溝内に落下する塵は制限されて微小なものに限られ、また、溝内に塵が落下したとしても櫛歯脚によって排除されるので、円滑な戸の開閉が可能となる、という効果を奏する。
また、敷居の溝幅が狭くなったため、子供等が足の指先を溝に落とし入れることもなく、車椅子の車輪が溝に嵌ることもない。このため、乗降し易い、という効果も併せて奏する。
【発明を実施するための最良の形態】
【０００９】
以下、図面を参照して、この発明の実施の形態について説明する。なお、各図中、同一又は相当する部分には同一符号を付し、説明の重複を省いた。
実施の形態１．
図１から図３は、この発明の実施の形態１を示す。
図１は、乗場戸を乗場側から見たエレベータの戸装置の正面図である。乗場戸は２枚戸片開きであって、昇降路の出入口を開閉する。図面奥側には戸先２ａが出入口縦枠１の一方の縦枠に当接して出入口を閉じきる高速戸板２が配置されている。高速戸板２は上端部に取り付けられた吊り具４によって吊持されている。吊り具４は昇降路壁に取り付けられた戸レール５上にローラを転動させて高速戸板２を水平移動させる。図面手前側には低速戸板３が配置されていて、戸板３の上端部に取り付けられた吊り具６によって吊持されている。吊り具６は戸レール７上にローラを転動させて低速戸板３を水平移動させる。高速戸板２及び低速戸板３（以下、総称する場合は、戸板２、３とする。）の下端部には、それぞれ移動方向へ所定距離を隔てて２箇所に、戸脚である櫛歯脚１１が下側へ向けて突設されている。櫛歯脚１１は、敷居１５に凹設された案内溝に遊挿されている。
【００１０】
図２は、高速戸板２及び低速戸板３の下端部に下側へ向けて突設されて、戸板２、３を敷居１５に沿って案内する戸脚部分の斜視図である。上記戸脚は、戸板２、３の下端部に取付けねじ１４によって取り付けられた脚基部１３から、下側へ向けて突出する複数の櫛歯１２が敷居１５の幅方向へ向けて並設された櫛歯脚１１となっている。
また、敷居１５に凹設された案内溝は、櫛歯１２が個別に遊挿される溝が列設された複列溝１６となっており、奥側に高速戸板２に取り付けられた櫛歯脚１１が遊挿される高速側複列溝１６ａが凹設されている。また、手前側には低速戸板３に取り付けられた櫛歯脚１１が遊挿される低速側複列溝１６ｂが凹設されている。
【００１１】
図３は、複列溝１６と櫛歯１２の関係を示す敷居１５の縦断面図である。
櫛歯１２は、下側へ向けて突出する前側縁辺１２ａと後側縁辺１２ｂの内、前側縁辺１２ａが後側縁辺１２ｂの反対側、即ち、戸板２、３の進行方向線上で戸板２、３の外側へ向けて下り勾配で傾斜して傾斜部１２ｃを形成した傾斜歯となっている。この傾斜部１２ｃは、敷居１５の上面から寸法δだけ上位から形成されており、一部が敷居１５の上面に露出させた状態で複列溝１６内に遊挿されている。
【００１２】
上記実施の形態１によれば、戸脚を櫛歯脚１１とし、案内溝を各櫛歯１２が個別に遊挿される溝が列設された複列溝１６としたので、各溝の幅を狭くすることができる。このため、溝内に落下する塵は微小なものに限られ、櫛歯脚１１によって容易に排除されて円滑に戸板２、３を開閉することができる。
特に、櫛歯１２は戸板２、３の進行方向線上で戸板２、３の外側へ向けて下り勾配で傾斜する傾斜歯とし、かつ、傾斜部１２ｃの一部を敷居１５の上面に露出させたので、戸板２、３の移動によって複列溝１６内の異物は傾斜部１２ｃによって掬い上げられて敷居１５の上面上に露呈される。即ち、開閉動作によって複列溝１６内が清掃されるので、円滑に戸板２、３を開閉することができる。
また、複列溝１６を構成する個々の溝の幅は狭いので、子供等が足の指先を溝に落ち込むこともない。更に、車椅子の車輪が溝に嵌ることもない。このため、エレベータのかごへの乗降が容易となった。
更にまた、複列溝１６にしたことによって、個々の溝の幅が狭く、かつ、複列になったので、敷居の意匠上の見栄えも向上させることができた。
【００１３】
実施の形態２．
図４及び図５は、この発明の実施の形態２を示す。この実施の形態２は、複列溝１６の上面に摺接する刷毛１７を戸板２、３の下端部に取り付け、この刷毛１７で櫛歯１２によって掬い上げられた複列溝１６内の異物を払拭するようにしたものである。
即ち、刷毛１７は、脚基部１３に植設されて垂下され、櫛歯１２の傾斜部１２ｃが敷居の上位に露出している部分で、複列溝１６を横断して上記複列溝１６の上面に摺接するようにした。
このため、敷居１５の上面は戸の開閉に伴って常に刷毛１７によって掃拭されるので、敷居１５の汚れを防止することができる。
特に、刷毛１７は、櫛歯１２の傾斜部１２ｃが敷居の上位に露出している部分で、複列溝１６の上面に摺接するので、櫛歯１２によって掬い上げられた複列溝１６内の異物が、掃拭動作によって複列溝１６内に再落下するのを防止することができる。
【００１４】
実施の形態３．
この実施の形態３では、上記実施の形態１及び実施の形態２に対する展開例について述べる。
展開例１．
実施の形態１では、図３に示したとおり、前側縁辺１２ａに傾斜部１２ｃが形成されるものとしたが、後側縁辺１２ｂに傾斜部を形成しても同様に溝内に落下した塵を排除することができ、円滑な戸の開閉動作を維持することができる。
また、前側縁辺１２ａと後側縁辺１２ｂの双方に傾斜部を形成してもよい。これにより、溝内の清掃頻度が高くなり、円滑な戸の開閉動作を更に徹底させることができる。
展開例２．
実施の形態２では、刷毛１７は、単に複列溝１６を横断するものとしたが、複列溝１６を斜めに横断するようにしてもよい。これにより、櫛歯１２によって掬い上げられた複列溝１６内の異物を、刷毛１７によって敷居１５の一方の側へ掃き寄せて、複列溝１６から遠ざけることができる。
【図面の簡単な説明】
【００１５】
【図１】この発明の実施の形態１におけるエレベータの戸装置の乗場戸を乗場側から見た正面図。
【図２】この発明の実施の形態１におけるエレベータの戸装置の戸板の下端部に突設された戸脚部分の斜視図。
【図３】この発明の実施の形態１における敷居１５の縦断面図。
【図４】この発明の実施の形態２におけるエレベータの戸装置の戸板の下端部に突設された戸脚部分の斜視図。
【図５】この発明の実施の形態２における敷居１５の縦断面図。
【図６】従来のエレベータの戸装置の腰部を示す斜視図。
【符号の説明】
【００１６】
１  出入口縦枠、  ２  高速戸板、  ２ａ  戸先、  ３  低速戸板、  ４  吊り具、  ５  戸レール、  ６  吊り具、  ７  戸レール、  １１  櫛歯脚、  １２  櫛歯、  １２ａ  前側縁辺、  １２ｂ  後側縁辺、  １２ｃ  傾斜部、  １３  脚基部、  １４  取付けねじ、  １５  敷居、  １６  複列溝、  １６ａ  高速側複列溝、  １６ｂ  低速側複列溝、  １７  刷毛。
【図１】
2006137515.tif 000003
【図２】
2006137515.tif 000004
【図３】
2006137515.tif 000005
【図４】
2006137515.tif 000006
【図５】
2006137515.tif 000007
【図６】
2006137515.tif 000008